(57)【要約】      （修正有）【課題】自然な斜めの角度から見た場合でも表面に浮かび上がる３Ｄ画像を見ることができ、さらに３Ｄ画像とのインタラクティブ効果を実現する電子製品を提供する。【解決手段】主体、３Ｄディスプレイ装置及び入力装置を具備し、主体は、筐体及び回路ユニットを含む。回路ユニットは筐体内に配置される。３Ｄディスプレイ装置３は主体の収納部に配置され、フラットディスプレイ装置３１、レンズアレイ層３２及び微小構造層３３を含む。ライトフィールドを調整するレンズアレイ層は、フラットディスプレイ装置の表示面に配置される。光線の角度と方向を調整する微小構造層はレンズアレイ層に配置される。３Ｄディスプレイ装置は空間に浮く３Ｄ画像を表示し、斜めの角度から表示面から浮き出す３Ｄ画像を見ることができる。入力装置は命令を入力するために用いられ、３Ｄディスプレイ装置はインタラクティブ命令を得て、新たな３Ｄ画像を表示する。【選択図】図２
0003225817.tif 000002
【実用新案登録請求の範囲】
【請求項１】
主体、３Ｄディスプレイ装置及び入力装置を具備する、３Ｄディスプレイ装置を備える電子製品であって、
前記主体は筐体及び回路ユニットを含み、前記回路ユニットは前記筐体に配置され、前記筐体に収納部が配置され、
前記３Ｄディスプレイ装置は前記主体の収納部に配置されるとともにフラットディスプレイ装置、レンズアレイ層及び微小構造層を含み、
前記フラットディスプレイ装置は表示面を有し、前記レンズアレイ層は前記表示面に配置され、前記レンズアレイ層は複数のレンズを含み、前記レンズアレイ層はライトフィールドを調整するために用いられ、前記微小構造層は前記レンズアレイ層に配置されるとともに複数の微小構造を含み、前記微小構造層はビームの角度と方向を調整するために用いられ、前記３Ｄディスプレイ装置は空間に浮いている３Ｄ画像を表示するように用いられ、
前記入力装置は前記３Ｄディスプレイ装置に電気的に接続されるとともに使用者命令を入力するために用いられ、前記３Ｄディスプレイ装置はインタラクティブ命令を取得してさらに新たな３Ｄ画像を表示する、３Ｄディスプレイ装置を備える電子製品。
【請求項２】
前記筐体における前記３Ｄディスプレイ装置の露出面は、前記筐体の特定面と同じの高さにある、請求項１に記載の３Ｄディスプレイ装置を備える電子製品。
【請求項３】
前記筐体における前記３Ｄディスプレイ装置の露出面は、前記筐体の特定面から突出又は凹入する、請求項１に記載の３Ｄディスプレイ装置を備える電子製品。
【請求項４】
前記３Ｄディスプレイ装置における互いに対向する両側面はそれぞれ、前記収納部における両側面と当接する、請求項１に記載の３Ｄディスプレイ装置を備える電子製品。
【請求項５】
前記レンズは、ミラーメーカー式：１／ｆ＝（ｎ−１）（１／Ｒ１＋１／Ｒ２）を満たし、前記Ｒ１及びＲ２はそれぞれ前記レンズの両面の曲率半径であり、前記ｆはレンズ焦点距離であり、前記ｎはレンズ屈折率である、請求項１に記載の３Ｄディスプレイ装置を備える電子製品。
【請求項６】
前記電子製品は携帯型の電子製品である、請求項１に記載の３Ｄディスプレイ装置を備える電子製品。
【請求項７】
前記電子製品は、ノートパソコン、スマートスピーカー、電子看板、携帯電話、遊技機、スマートカーのダッシュボード、スマートウォッチ、業務用遊技機、自動販売機、又は自動券売機である、請求項１に記載の３Ｄディスプレイ装置を備える電子製品。
【請求項８】
前記入力装置は、検知素子、タッチパネル、キーボードまたはマウスである、請求項１に記載の３Ｄディスプレイ装置を備える電子製品。
【請求項９】
前記入力装置は、特定用途向け集積回路又はフィールドプログラマブルゲートアレイで作動する、請求項１に記載の３Ｄディスプレイ装置を備える電子製品。
【考案の詳細な説明】
【技術分野】
【０００１】
本考案は、電子製品に関し、特に３Ｄディスプレイ装置を有する電子製品に関する。
【背景技術】
【０００２】
既存のノートブック（Ｎｏｔｅｂｏｏｋ）型パーソナルコンピュータ（以下「ノートパソコン」）等の電子製品では、平面で映像を表示する。一部の電子製品は３Ｄの表示効果を付加することができるが、両目のそれぞれで見た映像を合わせて表示効果を実現するのが一般的である。しかしながら、上記の技術のいずれも、モニターの正面でなければ３Ｄ画像を見ることができない。いくらかの状況を考えれば、モニターが水平に置かれた場合、観察者の最も自然な観察方法は、斜めの角度からモニターを見ることである。その場合、既存の３Ｄ表示技術では自然な観察角度から３Ｄ映像を見ることができないので、便利ではない。言い換えれば、既存の３Ｄモニターの正面から見る３Ｄ知覚では、例えば、画面のハイライトやシンク等、錯視による視覚刺激となり、画像が平面から飛び出して、空間に浮いている感じを与えることができない。
【０００３】
そのために、本考案においては上記の点を鑑み、科学学理を適用して研究を重ねて、ついにデザインが合理で上記課題を改善し得る考案を提供する。
【考案の概要】
【考案が解決しようとする課題】
【０００４】
本考案の目的は、３Ｄディスプレイ装置を備える電子製品を提供することである。それにより、自然な斜めの角度から見た場合でも表面に浮かび上がる３Ｄ画像を見ることができ、さらに３Ｄ画像とのインタラクティブ効果を実現する。
【課題を解決するための手段】
【０００５】
上記技術的課題を解決するために、本考案は、３Ｄディスプレイ装置を備える電子製品を提供する。本考案にかかる３Ｄディスプレイ装置は、主体、３Ｄディスプレイ装置、及び入力装置を含む。該主体は、筐体及び回路ユニットを含む。該回路ユニットは、該筐体内に配置される。前記筐体は収納部を有する。前記３Ｄディスプレイ装置は前記主体の収納部に配置される。前記３Ｄディスプレイ装置は、フラットディスプレイ装置、レンズアレイ層及び微小構造層を含む。前記フラットディスプレイ装置は表示面を有し、前記レンズアレイ層は、前記フラットディスプレイ装置の表示面に配置されており、複数のレンズを含む。前記レンズアレイ層はライトフィールドを調整するために用いられる。前記微小構造層は、前記レンズアレイ層に配置される。前記微小構造層は複数の微小構造を含む。前記微小構造層は、ビームの角度と方向を調整するために用いられる。前記３Ｄディスプレイ装置は、空間に浮いている３Ｄ画像を表示するために用いられる。前記入力装置は、前記３Ｄディスプレイ装置に電気的に接続される。前記入力装置は命令を入力するために用いられる。それにより、前記３Ｄディスプレイ装置は、インタラクティブ命令を得て、さらに新たな３Ｄ画像を表示することができる。
【考案の効果】
【０００６】
本考案は、３Ｄディスプレイ装置を電子製品に組み合わせることにより、前記電子製品は自らの機能以外に、３Ｄ画像を表示する効果を兼備する。本考案の３Ｄディスプレイ装置は、既存の裸眼３Ｄ立体モニターにおける正面で見なければならないという制限を、斜めの角度からでも見える３Ｄ画像に改善でき、かつ、３Ｄ画像は３Ｄディスプレイ装置の上方または前方に表示され、空中に浮いている効果を与えることができる。さらに、本考案では、入力装置により使用者からの命令を入力することによって、前記３Ｄディスプレイ装置はインタラクティブ命令を得てから新たな３Ｄ画像を表示することができ、３Ｄ画像とのインタラクティブ効果を実現することができる。
【図面の簡単な説明】
【０００７】
【図１】本考案にかかる３Ｄディスプレイ装置を備える電子製品の第１の実施形態を示す立体模式図である。
【図２】本考案にかかる３Ｄディスプレイ装置を有する電子製品の第１の実施形態の部分構造を示す断面模式図である。
【図３】本考案にかかる単一レンズによる焦点当たりの状況を示す模式図である。
【図４】本考案にかかる３Ｄディスプレイ装置の電子製品の第２の実施形態を示す立体模式図である。
【図５】本考案にかかる３Ｄディスプレイ装置を備える電子製品の第３の実施形態を示す立体模式図である。
【図６】本考案にかかる３Ｄディスプレイ装置を備える電子製品の第４の実施形態を示す立体模式図である。
【図７】本考案にかかる３Ｄディスプレイ装置を備える電子製品の第５の実施形態を示す立体模式図である。
【図８】本考案にかかる３Ｄディスプレイ装置を備える電子製品第６の実施形態を示す立体模式図である。
【図９】本考案にかかる３Ｄディスプレイ装置を備える電子製品の第７の実施形態を示す立体模式図である。
【図１０】本考案にかかる３Ｄディスプレイ装置を備える電子製品の第８の実施形態を示す立体模式図である。
【図１１】本考案にかかる３Ｄディスプレイ装置を備える電子製品の第９の実施形態を示す立体模式図である。
【図１２】本考案にかかる３Ｄディスプレイ装置を備える電子製品の第１０の実施形態を示す立体模式図である。
【図１３】本考案にかかる３Ｄディスプレイ装置を備える電子製品の第１１の実施形態を示す立体模式図である。
【図１４】本考案にかかる３Ｄディスプレイ装置を備える電子製品の第１２の実施形態を示す立体模式図である。
【図１５】本考案にかかる３Ｄディスプレイ装置を備える電子製品の第１３の実施形態を示す立体模式図である。
【図１６】本考案にかかる３Ｄディスプレイ装置を備える電子製品の第１２の実施形態を示す立体模式図である。
【考案を実施するための形態】
【０００８】
本考案の特徴及び技術内容がより一層分かるように、以下本考案に関する詳細な説明と添付図面を参照する。しかし、提供される添付図面は参考と説明のために提供するものに過ぎず、本考案の実用新案登録請求の範囲を制限するためのものではない。
【０００９】
本考案は、３Ｄディスプレイ装置を備える電子製品を提供する。前記電子製品は、例えば、ノートパソコン（Ｎｏｔｅｂｏｏｋ）、スマートスピーカー（ｓｍａｒｔ  ｓｐｅａｋｅｒ）、デジタルサイネージ（ｄｉｇｉｔａｌ  ｓｉｇｎａｇｅ）、携帯電話（ｍｏｂｉｌｅ  ｐｈｏｎｅ）、遊技機（ｇａｍｅ  ｍａｃｈｉｎｅ）、スマートオート（ｓｍａｒｔ  ａｕｔｏ）のダッシュボード、スマートウォッチ、業務用遊技機、自動販売機または券売機等、携帯型のものが挙げられる。
［第１の実施形態］
【００１０】
図１及び図２を参照する。本実施形態において、前記電子製品は、ノートパソコンである。前記ノートパソコンは、主体１、スクリーン２、３Ｄディスプレイ装置３及び入力装置５０を含む。前記主体１はコンピューターホストである。前記主体１は、筐体１１及び回路ユニット１４を含む。前記回路ユニット１４は、筐体１１に配置されており、前記回路ユニット１４は従来の技術であり本考案の焦点ではないため、ここでは説明を省略する。前記主体１（筐体１１）に入力モジュール１２が設けられてもよい。前記入力モジュール１２はキーボード、トラックパッド、またはタッチスクリーン等が挙げられる。前記スクリーン２は、主体１の回路ユニット１４に電気的に接続される。回路ユニット１４には、様々なプログラムが実行することができるとともに、当該プログラムが実行された結果をスクリーン２に表示することができる。前記主体１及びスクリーン２は、従来の技術であり本考案の焦点でもないため、ここでは説明を省略する。
【００１１】
前記３Ｄディスプレイ装置３は主体１に配置される。具体的には、主体１の筐体１１は収納部１３を有する。本実施形態において、前記収納部１３が筐体１１の上面に配置されてもよいが、収納部１３がさらに入力モジュール１２（キーボード）の前に配置されてもよい。前記３Ｄディスプレイ装置３は収納部１３に配置されており、前記３Ｄディスプレイ装置３は筐体１１に露出する。好ましくは、３Ｄディスプレイ装置３における筐体１１に露出面は、筐体１１の上面と同じ高さになるように構成される。即ち、３Ｄディスプレイ装置３の上面は、筐体１１の上面と揃えて配置されるが、この例に制限されない。例えば、筐体１１における前記３Ｄディスプレイ装置３の露出面は、筐体１１の上面から突出又は凹入して構成されてもよい。好ましくは、３Ｄディスプレイ装置３における対向する両側面が、収納部１３における対応の両側面に当接するように配置される。それにより、３Ｄディスプレイ装置３は安定的に収納部１３に配置される。
【００１２】
前記３Ｄディスプレイ装置３は、フラットディスプレイ装置３１、レンズアレイ層３２及び微小構造層３３を含む。フラットディスプレイ装置３１、レンズアレイ層３２及び微小構造層３３は上から下に順序に三層の構造と配列される。レンズアレイ層３２は、フラットディスプレイ装置３１の表示面３１１に配置され、微小構造層３３はレンズアレイ層３２に配置される。レンズアレイ層３２がフラットディスプレイ装置３１の表示面３１１と接触しないことが好ましいが、その例に制限されない。微小構造層３３がレンズアレイ層３２と接触しないことが好ましいが、その例に制限されない。前記３Ｄディスプレイ装置３は三層構造を含むため、光線は、フラットディスプレイ装置３１により、積分画像（ｉｎｔｅｇｒａｌ  ｉｍａｇｅ）に形成されてから、レンズアレイ層３２を介して、その積分画像（ｉｎｔｅｇｒａｌ  ｉｍａｇｅ）をもう一度集めて、３Ｄ画像を空間で表示させる。最後、微小構造層３３は、ライトフィールドを斜角に屈折した。そのために、３Ｄ画像を斜めの角度から見ることができる。
【００１３】
前記フラットディスプレイ装置３１は第１の層（下層）に配置されており、インテグラルフォトグラフィ（ｉｎｔｅｇｒａｌ  ｐｈｏｔｏｇｒａｐｈｙ）の技術による画像を表示するために用いられる。前記フラットディスプレイ装置３１の表示面３１１に表示された画面は、画像がアルゴリズム及びフラットディスプレイ装置３１の仕様によりリメイクされたものである。前記アルゴリズムでは画像の反転を行わずに、直々に奥行き情報を計算の基礎として行う。前記アルゴリズムは、座標の定義（Ｃｏｏｒｄｉｎａｔｅ  ｄｅｆｉｎｉｔｉｏｎ）、奥行き情報の取得（Ｇｉｖｅ  ｄｅｐｔｈ  ｉｎｆｏｒｍａｔｉｏｎ）、積分画像光線の追跡（ｉｎｔｅｇｒａｌ  ｉｍａｇｅ  ｒａｙ  ｔｒａｃｉｎｇ）及び積分画像のリメイク（ｉｎｔｅｇｒａｌ  ｉｍａｇｅ）等のステップを含む。前記フラットディスプレイ装置３１は、画像計算ユニットを有する。モニターの表示に使用される画像は、画像アルゴリズムで計算を行う必要がある。その計算とレンズアレイを組み合わせて使用した構成は、光線の各行き経路を予測しつつ、画像の相対位置も計算できる。画素アルゴリズムは従来の技術であり本考案の焦点でもないため、ここでは説明を省略する。
【００１４】
レンズアレイ層３２は、第２の層（中層）に配置される。前記レンズアレイ層３２はライトフィールドを調整する効果を有する。コンデンサーレンズが立体物の光線角度を調整することにより、３Ｄ画像の異なる角度を見せて、立体感を与えることができる。異なるコンデンサーレンズは物体における異なる点に対して異なる角度情報を付与することができ、光線は、異なるレンズにより集光して空間に奥行き情報を有する点となる。空間の一点を表示する情報は、異なる光線角度として異なるレンズの画像に対応するレンズに記録されてもよい。コンデンサーレンズの湾曲率はレンズの材料で決めされる。コンデンサーレンズと第１の層のフラットディスプレイ装置３１と組み合させることにより、３Ｄ画像の高さ、視角又は解像度が決められる。
【００１５】
本実施形態において、前記レンズアレイ層３２は光学特性の良い材料、例えば、プレキシガラス（ＰＰＭＡ）、ポリカーボネート（ＰＣ）、ポリエチレン（ＰＥ）、またはガラス（Ｇｌａｓｓ）等の透光性材料で製造されるものである。本考案では、前記レンズアレイ層３２の材料を制限されない。前記レンズアレイ層３２は複数のレンズ３２２を含み、前記複数のレンズ３２２はベース３２１の片面に配置されてもよい。即ち、前記複数のレンズ３２２は、ベース３２１におけるフラットディスプレイ装置３１から離れる面に配置されてもよいが、前記レンズアレイ層３２の配列または構造は制限されない。前記複数のレンズ３２２は光をフォーカスの機能を有する。レンズはフラットディスプレイ装置３１に結合されており、それの湾曲率、材料及びフラットディスプレイ装置３１は、共に、３Ｄ画像の高さ、視角及び解像度を決める。
【００１６】
微小構造層３３は、第３の層（上層）に配置される。前記微小構造層３３はビームの角度と方向を調整するために用いられる。本実施形態において、微小構造層３３は三角形の微小構造層に形成されており、正面からのライトフィールドを斜角に屈折できる。本考案では、微小構造層３３の構成によって、光線を表示面の法線方向に対して、斜角に屈折することができる。それにより、正対面視でなくても、３Ｄ画像を見ることができる。そのため、微小構造層３３によって、より自然な角度から３Ｄ画像を見ることができる。
【００１７】
本実施形態において、前記微小構造層３３は、ポリエステル（ＰＥＴ）、ポリプロピレン（ＰＰ）、またはポリカーボネート（ＰＣ）等の材料で構成されてもよい。前記微小構造層３３の材料について制限されることはない。前記微小構造層３３は複数の微小構造３３２を含み、前記複数の微小構造３３２は、基材３３１の一面に配置される。即ち、前記複数の微小構造３３２は、基材３３１におけるレンズアレイ層３２から離れる面に配置される。本実施形態における微小構造３３２は三角形に形成される。前記微小構造３３２は、二等辺三角形または直角三角形に形成されてもよいが、前記微小構造層３３の配列または構造は制限されない。前記微小構造層３３を保護するために、前記微小構造層３３の上に透明板をさらに配置してもよい。
【００１８】
本実施形態では、三層構造の各層の協働によって、光線はフラットディスプレイ装置３１から送信され、レンズアレイ層３２で再収束されることで、空間に３Ｄ画像が表示される。さらに、微小構造層３３により斜めの角度からでも３Ｄ画像を見ることができ、人間工学に適合した鑑賞角度を実現する。
【００１９】
レンズアレイ層３２の微小構造は、集束レンズであり、材料の屈折率ｎに従って微小レンズの集束能力が決まる。材料では、屈折率ｎが１．３乃至３．０であり、透光率が７０％を上回り、反射率が２５％を下回り、波長が３００  ｎｍ乃至１１００ｎｍとある。単一のレンズ３２２の焦点距離は、図３に示すように、ミラーメーカー式を満たす。
１／ｆ＝（ｎ−１）（１／Ｒ１＋１／Ｒ２）
なかでも、Ｒ１及びＲ２は、それぞれレンズ両面の曲率半径であり、ｆはレンズの焦点距離であり、ｎはレンズの屈折率である。
【００２０】
前記入力装置５０としては、検知素子、タッチパネル、キーボードまたはマウス等各種の入力装置が挙げられる。前記入力装置５０の形式又は構成は制限されない。適当な回路で制御を行うために、前記入力装置５０は、３Ｄディスプレイ装置３に電気的に接続されてもよいし、又は主体１の回路ユニット１４に電気的に接続されてもよい。前記回路ユニット１４は、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ，ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ，ＦＰＧＡ）、又は他のプロセッサーを含んでもよい。本実施形態において、前記入力装置５０は感知素子（例えば、画像センサ）であり、ユーザーの手、顔、または目の動きを検出することができる。例えば、３Ｄ画像を手で直接触るか手を近付けることにより制御を行うか、又は指で空間に浮いている映像をクリックすることもできる。前記入力装置５０は、使用者命令を入力するように用いられる。それにより、前記３Ｄディスプレイ装置３は、インタラクティブ命令を取得して、さらに新たな３Ｄ画像を再表示できるので、空間に浮いている映像を制御することができる。そのため、本考案は、斜めの角度からであっても立体フローティング画像を見ることができる３Ｄディスプレイ装置３を提供する。前記３Ｄディスプレイ装置３は、電子製品（例えば、ノートパソコン）に組み合わせて、前記電子製品に３Ｄ画像表示の効果を持たせて、さらに、３Ｄ画像とのインタラクティブ効果も果たせる。
【００２１】
また、前記入力装置５０をフローティング画像の表示／非表示の切替えに使ってもよい。例えば、手又は目の動作を検知すること、又はスイッチ、各種の環境センサーによって、自動的にフローティング画像をオン・オフする。また、本考案は、オンライン広告、教育、オンラインショッピング、フローティング図像（ｉｃｏｎ）に適用できる。別の実施形態において、前記入力装置５０を前記主体１における入力モジュール１２によって置き換えることもできる。
【００２２】
また、図１６に示すように、本実施形態において、前記スクリーン２、３Ｄディスプレイ装置３及び入力装置５０は回路ユニット１４に電気的に接続される。それにより、前記入力装置５０は３Ｄディスプレイ装置３に電気的に接続される。また、前記回路ユニット１４は、さらにカメラレンズ１５、マイク１６及びスピーカー１７等に電気的に接続されてもよい。
［第２の実施形態］
【００２３】
図４を参照されたい。本実施形態において、前記電子製品はスマートスピーカーである。前記スマートスピーカーは、主体４、３Ｄディスプレイ装置３及び入力装置５０を含む。前記主体４は、スマートスピーカーの形に形成される。前記主体４は、筐体４１及び回路ユニット４３を含む。回路ユニット４３は筐体４１内に配置される。前記回路ユニット４３は従来の技術であり、本考案の焦点でもないため、ここでは説明を省略する。前記スマートスピーカーは、人工知能（ＡＩ）音声アシスタントが組み込まれたスピーカーであり、音声入力機能と人工知能を有する。前記スマートスピーカーは、無線信号を介してクラウドにコネクトして、ビックデータの検索を行い、使用者に必要な情報を与えることができる。例えば、天気及び時間の報知、各種のチケットの注文、或いは音楽及びラジオの再生等ができるし、対話モードに入り、ＩｏＴ（Ｉｎｔｅｒｎｅｔ  ｏｆ  Ｔｈｉｎｇｓ）と接続することにより、他のスマート家電の電源を入り切りすることもできる。
【００２４】
前記３Ｄディスプレイ装置３は、主体４に配置される。具体的に、主体４の筐体４１に収納部４２が配置される。本実施形態において、前記収納部４２が筐体４１の上面に配置され、前記３Ｄディスプレイ装置３が収納部４２に配置される。前記３Ｄディスプレイ装置３は、筐体４１に露出する。好ましくは、３Ｄディスプレイ装置３が筐体４１の外面と揃えて筐体４１の一面に露出するように構成されるが、この例に制限されない。前記３Ｄディスプレイ装置３は、フラットディスプレイ装置３１、レンズアレイ層３２及び微小構造層３３（図２に示すように）を含んで、その構造及び機能が第１の実施形態と同様であるため、ここでは説明を繰り返さない。前記入力装置５０は、３Ｄディスプレイ装置３に電気的に接続される。本実施形態において、前記入力装置５０はタッチパネルであり、前記入力装置５０は命令を入力するために用いられる。それにより、前記３Ｄディスプレイ装置３はインタラクティブ命令を取得して、新たな３Ｄ画像を表示することができる。本実施形態におけるスマートスピーカーは、立体フローティング画像を斜めの角度から見ることを実現させる３Ｄディスプレイ装置３を有する。前記３Ｄディスプレイ装置３を電子製品（スマートスピーカー）に組み合わせることにより、前記電子製品は、３Ｄ画像表示の機能を兼備すると共に、３Ｄ画像とのインタラクティブ効果を得ることができる。
［第３の実施形態］
【００２５】
図５を参照されたい。本実施形態において、前記電子製品は電子看板である。前記電子看板は、主体５、３Ｄディスプレイ装置３及び入力装置５０を備える。前記主体５は３Ｄディスプレイ装置３を支持固定することができる。前記主体５に回路ユニット５２が配置される。前記回路ユニット５２は従来の技術であり、本考案の焦点でもないため、ここでは説明を省略する。前記３Ｄディスプレイ装置３は主体５に配置される。具体的に、主体５は収納部５１を備える。本実施形態において、前記収納部５１は主体５の前側に配置されてもよい。前記３Ｄディスプレイ装置３は、収納部５１内に配置される。前記３Ｄディスプレイ装置３は主体５に露出する。前記３Ｄディスプレイ装置３の構造及び機能は第１の実施形態と同様であるため、ここでは説明を省略する。前記入力装置５０は、３Ｄディスプレイ装置３に電気的に接続されおり、使用者命令を入力するために用いられる。それにより、前記３Ｄディスプレイ装置３はインタラクティブ命令を取得して、さらに新たな３Ｄ画像を表示することができる。本実施形態では、電子製品は、立体フローティング画像を斜めの角度から見ることを実現させる３Ｄディスプレイ装置３を備える。前記３Ｄディスプレイ装置３を電子製品（電子看板）に組み合わせることにより、前記電子製品は、３Ｄ画像表示の機能を兼備すると共に、３Ｄ画像とのインタラクティブ効果を得ることもできる。
［第４の実施形態］
【００２６】
図６を参照されたい。本実施形態において、前記電子製品は携帯電話である。前記携帯電話は、主体６、３Ｄディスプレイ装置３及び入力装置５０を備える。前記主体６は筐体６１及び回路ユニット６３を含む。前記回路ユニット６３は筐体６１内に配置される。前記回路ユニット６３は従来の技術であり、本考案の焦点でもないため、ここでは説明を省略する。
【００２７】
前記３Ｄディスプレイ装置３は主体６に配置される。具体的に、主体６の筐体６１に収納部６２が配置される。本実施形態において、前記収納部６２は筐体６１の前側に配置されてもよい。前記３Ｄディスプレイ装置３は収納部６２に配置される。前記３Ｄディスプレイ装置３は筐体６１に露出する。前記３Ｄディスプレイ装置３の構造又は機能は第１の実施形態と同様であるため、ここでは説明を省略する。前記入力装置５０は３Ｄディスプレイ装置３に電気的に接続されており、使用者命令を入力するために用いられる。それにより、前記３Ｄディスプレイ装置３はインタラクティブ命令を取得して、さらに新たな３Ｄ画像を表示することができる。本実施形態の電子製品は、立体フローティング画像を斜めの角度から見ることを実現させる３Ｄディスプレイ装置３を備える。前記３Ｄディスプレイ装置３を電子製品（携帯電話）に組み合わせることにより、前記電子製品は３Ｄ画像表示の機能を兼備すると共に、３Ｄ画像とのインタラクティブ機能も有する。
［第５の実施形態］
【００２８】
図７を参照されたい。本実施形態において、前記電子製品は遊技機である。前記遊技機は、主体７、３Ｄディスプレイ装置３、及び入力装置５０を備える。前記主体７は筐体７１及び回路ユニット７３を含む。前記回路ユニット７３は筐体７１内に配置される。前記回路ユニット７３は従来の技術であり、本考案の焦点でもないため、ここでは説明を省略する。
【００２９】
前記３Ｄディスプレイ装置３は主体７に配置される。具体的に、主体７の筐体７１に収納部７２が配置される。本実施形態において、前記収納部７２は筐体７１の上面に配置されてもよい。前記３Ｄディスプレイ装置３は収納部７２に配置される。前記３Ｄディスプレイ装置３は筐体７１に露出する。前記３Ｄディスプレイ装置３の構造及び機能は第１の実施形態と同様であるため、ここでは説明を省略する。前記入力装置５０は、３Ｄディスプレイ装置３に電気的に接続されており、使用者命令を入力するために用いられる。それにより、前記３Ｄディスプレイ装置３はインタラクティブ命令を取得して、さらに新たな３Ｄ画像を表示することができる。本実施形態の電子製品は、立体フローティング画像を斜めの角度から見ることを実現させる３Ｄディスプレイ装置３を備える。前記３Ｄディスプレイ装置３を電子製品（遊技機）に組み合わせることにより、前記電子製品は、３Ｄ画像表示の機能を兼備すると共に、３Ｄ画像とのインタラクティブ機能も有する。
［第６の実施形態］
【００３０】
図８を参照されたい。本実施形態において、前記電子製品は、スマートカーのダッシュボードである。前記ダッシュボードは、主体８、３Ｄディスプレイ装置３及び入力装置５０を備える。前記主体８は筐体８１及び回路ユニット８３を備える。前記回路ユニット８３は筐体８１に配置される。前記回路ユニット８３は従来の技術であり、本考案の焦点でもないため、ここでは説明を省略する。
【００３１】
前記３Ｄディスプレイ装置３は主体８に配置される。具体的に、主体８の筐体８１に収納部８２が配置される。前記３Ｄディスプレイ装置３は収納部８２内に配置される。前記３Ｄディスプレイ装置３は筐体８１に露出する。前記３Ｄディスプレイ装置３の構造及び機能は第１の実施形態と同様であるため、ここでは説明を省略する。前記入力装置５０は、３Ｄディスプレイ装置３に電気的に接続されており、前使用者命令を入力するために用いられる。それにより、前記３Ｄディスプレイ装置３は、インタラクティブ命令を取得して、さらに新たな３Ｄ画像を表示することができる。本実施形態の電子製品は、立体フローティング画像を斜めの角度から見ることを実現させる３Ｄディスプレイ装置３を備える。前記３Ｄディスプレイ装置３を電子製品（スマートカーのダッシュボード）に組み合わせることにより、前記電子製品は３Ｄ画像表示の機能を兼備すると共に、３Ｄ画像とのインタラクティブ機能も有する。
［第７の実施形態］
【００３２】
図９を参照されたい。本実施形態において、前記電子製品はモジュラー形式の電子看板である。前記電子看板は、主体９、３Ｄディスプレイ装置３及び入力装置５０を備える。前記主体９は筐体９１及び回路ユニット９３を含む。前記回路ユニット９３は筐体９１内に配置される。前記主体９はモニター９４に接続される。前記回路ユニット９３は従来の技術であり、本考案の焦点でもないため、ここでは説明を省略する。
【００３３】
前記３Ｄディスプレイ装置３は主体９に配置される。具体的に、主体９の筐体９１に収納部９２が配置される。前記３Ｄディスプレイ装置３は収納部９２内に配置される。前記３Ｄディスプレイ装置３は筐体９１に露出する。前記３Ｄディスプレイ装置３の構造及び機能は第１の実施形態と同様であるため、ここでは説明を省略する。前記入力装置５０は、３Ｄディスプレイ装置３に電気的に接続される。本実施形態において、前記入力装置５０はマウスである。前記入力装置５０は使用者命令を入力するために用いられる。それにより、前記３Ｄディスプレイ装置３はインタラクティブ命令を取得して、さらに新たな３Ｄ画像を表示することができる。本実施形態の電子製品は、立体フローティング画像を斜めの角度から見ることを実現させる３Ｄディスプレイ装置３，前記３Ｄディスプレイ装置３を電子製品（電子看板）に組み合わせることにより、前記電子製品は３Ｄ画像表示の機能を兼備すると共に、３Ｄ画像とのインタラクティブ機能を有する。
［第８、９、１０、１１、１２の実施形態］
【００３４】
図１０乃至図１４を参照されたい。本実施形態において、前記電子製品としては、例えば、図１０乃至図１２に示した自動販売機）、図１３に示した自動券売機、又は図１４に示した業務用遊技機等が挙げられる。前記自動販売機、自動券売機、又は業務用遊技機は、主体１０、３Ｄディスプレイ装置３及び入力装置５０を含む。前記主体１０は筐体１０１、及び前記筐体１０１内に配置される回路ユニット１０２を含む。自動販売機、自動券売機又は業務用遊技機の構成は従来の技術であるため、ここでは説明を省略する。前記筐体１０１は収納部１０３を有する。前記３Ｄディスプレイ装置３は主体１０の収納部１０３に配置される。前記入力装置５０は、３Ｄディスプレイ装置３に電気的に接続されており、使用者命令を入力するために用いられる。それにより、前記３Ｄディスプレイ装置３はインタラクティブ命令を取得して、さらに新たな３Ｄ画像を表示することができる。図１４に示すように、前記入力装置５０はキーボードである。本実施形態の電子装置は、立体フローティング画像を斜めの角度から見ることを実現させる３Ｄディスプレイ装置３を有する。前記３Ｄディスプレイ装置３を電子製品（自動販売機、自動券売機又は業務用遊技機）に組み合わせることにより、前記電子製品は３Ｄ画像表示の機能を兼備すると共に、３Ｄ画像とのインタラクティブ機能も有する。
［第１３の実施形態］
【００３５】
図１５を参照されたい。本実施形態において、前記電子製品はスマートウォッチ（Ｓｍａｒｔ  ｗａｔｃｈ）である。前記スマートウォッチは主体２０、３Ｄディスプレイ装置３及び入力装置５０を備える。前記主体２０は筐体２０１、及び前記筐体２０１内に配置される回路ユニット２０２を含む。スマートウォッチの構成は従来の技術であるため、ここでは説明を省略する。前記筐体２０１は収納部２０３を有する。前記３Ｄディスプレイ装置３は主体２０の収納部２０３に配置される。前記入力装置５０は３Ｄディスプレイ装置３に電気的に接続されており、使用者命令を入力するために用いられる。それにより、前記３Ｄディスプレイ装置３はインタラクティブ命令を取得して、さらに新たな３Ｄ画像を表示することができる。本実施形態の電子装置は、立体フローティング画像を斜めの角度から見ることを実現させる３Ｄディスプレイ装置３を有する。前記３Ｄディスプレイ装置３を電子製品（スマートウォッチ）に組み合わせることにより、前記電子製品は、３Ｄ画像表示の機能を兼備すると共に、３Ｄ画像とのインタラクティブ機能も有する。
［実施形態による有益な効果］
【００３６】
本考案は、３Ｄディスプレイ装置を電子製品に組み合わせることにより、前記電子製品は本来の機能以外に、３Ｄ画像表示の機能を兼備する。本考案の３Ｄディスプレイ装置は、裸視で、正面視角から３Ｄ立体モニターを見なければならない従来の技術の代わりに、３Ｄ画像を斜めの角度からも見えるように変更した。かつ、その３Ｄ画像は３Ｄディスプレイ装置の上方又は前方に現れて、空間に浮いている効果で表示される。さらに、本考案では、入力装置で使用者命令を入力することができ、それにより、前記３Ｄディスプレイ装置はインタラクティブ命令を取得して、さらに新たな３Ｄ画像を表示して、３Ｄ画像とのインタラクティブ効果を果たせる。
【００３７】
以上に開示される内容は本考案の好ましい実施可能な実施例に過ぎず、これにより本考案の実用新案登録請求の範囲を制限するものではないので、本考案の明細書及び添付図面の内容に基づき為された等価の技術変形は、全て本考案の実用新案登録請求の範囲に含まれるものとする。
【符号の説明】
【００３８】
１  主体
１１筐体
１２入力モジュール
１３収納部
１４回路ユニット  
１５カメラレンズ
１６マイク
１７スピーカー
２  スクリーン
３  ３Ｄディスプレイ装置
３１フラットディスプレイ装置
３１１表示面
３２レンズアレイ層
３２１ベース
３２２透鏡
３３微小構造層
３３１基材
３３２微小構造
４  主体
４１筐体
４２収納部
４３回路ユニット
５  主体
５１収納部
５２回路ユニット
６  主体
６１筐体
６２収納部
６３回路ユニット
７  主体
７１筐体
７２収納部
７３回路ユニット
８  主体
８１筐体
８２収納部
８３回路ユニット
９  主体
９１筐体
９２収納部
９３回路ユニット
９４モニター
１０主体
１０１筐体
１０２回路ユニット
１０３収納部
２０主体
２０１筐体
２０２回路ユニット
２０３収納部
５０入力装置
【図１】
0003225817.tif 000003
【図２】
0003225817.tif 000004
【図３】
0003225817.tif 000005
【図４】
0003225817.tif 000006
【図５】
0003225817.tif 000007
【図６】
0003225817.tif 000008
【図７】
0003225817.tif 000009
【図８】
0003225817.tif 000010
【図９】
0003225817.tif 000011
【図１０】
0003225817.tif 000012
【図１１】
0003225817.tif 000013
【図１２】
0003225817.tif 000014
【図１３】
0003225817.tif 000015
【図１４】
0003225817.tif 000016
【図１５】
0003225817.tif 000017
【図１６】
0003225817.tif 000018